(57)【要約】      （修正有）【課題】商品等を入れて使用した後でも他の用途に再使用できるギフトボックスの提供。【解決手段】差込片を形成した折返片２ｃを連設している正面片と、正面片の左方に左側面片２ｄ、右方に右側面片２ｆを連設し、差込孔２ｉと多目的孔２ｊと切取線２ｈを備えた上面片２ａからなる上蓋本体２と、差込孔を備えた正面底面片と左底面片と右底面片及び背面底面片からなる底面本体と、正面底面片と連設し差込片３ｆと折込線３ｇを備えた正面折返面３ｅと正面片３ａと左底面片と連設し左取っ手片を備えた左側面片３ｂ、右底面片と連設し右取っ手片３ｊを備えた右側面片３ｃ及び背面底面片と連設し、接着片３ｈを備えた背面片３ｄからなる正面本体３とからなる再利用ギフトボックス１の構成とした。【選択図】図４
0003136352.tif 000002
【実用新案登録請求の範囲】
【請求項１】
正面側に差込孔２ｉと左右側面側に多目的孔２ｊを設けた上面片２ａ、前記上面片２ａの正面側に連設する正面片２ｂ、前記正面片２ｂの裏側に折り込むことができ前記上面片２ａの差込孔２ｉに差し込むための差込片２ｋが形成された折返片２ｃ、及び前記上面片２ａの左右側面側に連設した左右側面片２ｄ、２ｆにより構成され組み立てることで上蓋となる上蓋本体２と、
前記上蓋本体２の上面片２ａの下側に連設し右側面側に接着片３ｈを有する背面片３ｄ、前記背面片３ｄの左側面側に連設し左取っ手片３ｉが設けられた左側面片３ｂ、前記左側面片３ｂの正面側に連設した正面片３ａ、前記正面片３ａの右側面側に連設し右取っ手片３ｊが設けられ背面側を前記接着片３ｈと接着可能な右側面片３ｃ、及び前記正面片３ａの上側に連設し折込線３ｇが付き差込片３ｆが形成された正面折込片３ｅにより構成され組み立てることでボックス状となる正面本体３と、
前記正面本体３の正面片３ａの下側に連設し前記正面折込片３ａの差込片３ｆを差し込むための差込孔４ｍが形成された正面底面片４ａ、前記正面本体３の左右側面片３ｂ、３ｃの下側に連設した左右底面片４ｂ、４ｃ、及び前記正面本体３の背面片３ｄの下側に連設した背面底面片４ｄにより構成され組み立てることで底面を形成する底面本体４とからなり、
前記上蓋本体２の一部を切り取ることのできる切取線２ｈを付けたことを特徴とする再利用ギフトボックス。
【請求項２】
切取線２ｈを略台形状にしたことを特徴とする請求項１に記載の再利用ギフトボックス。
【考案の詳細な説明】
【技術分野】
【０００１】
本考案は、商品等のギフトボックスに関する発明である。
【背景技術】
【０００２】
従来のギフトボックス等の商品包装容器は、使用後は捨ててしまう包装容器が圧倒的に多かった。
【０００３】
しかしながら、今や全世界でゴミの増加問題は深刻化し、大きく取り上げられている。ゴミを減らし、限りある資源を有効に使うことは地球規模の課題と言える。リユース（再利用・再使用）やリサイクル（再資源）という言葉が叫ばれてから久しいが、購入する商品などは未だに使い捨ての袋や包装紙等を使用することが多い。
【特許文献１】特開２０００−３５５３７８号公報
【考案の開示】
【考案が解決しようとする課題】
【０００４】
そこで、本考案はそのような使い捨てを極力なくし、何度でも使え、さらに捨てる時にも再利用できる素材にすることでゴミの減量化をはかったギフトボックスを提供することを目的とするものである。
【課題を解決するための手段】
【０００５】
本考案は、上記の課題を解決するために、正面側に差込孔２ｉと左右側面側に多目的孔２ｊを設けた上面片２ａ、前記上面片２ａの正面側に連設する正面片２ｂ、前記正面片２ｂの裏側に折り込むことができ前記上面片２ａの差込孔２ｉに差し込むための差込片２ｋが形成された折返片２ｃ、及び前記上面片２ａの左右側面側に連設した左右側面片２ｄ、２ｆにより構成され組み立てることで上蓋となる上蓋本体２と、前記上蓋本体２の上面片２ａの下側に連設し右側面側に接着片３ｈを有する背面片３ｄ、前記背面片３ｄの左側面側に連設し左取っ手片３ｉが設けられた左側面片３ｂ、前記左側面片３ｂの正面側に連設した正面片３ａ、前記正面片３ａの右側面側に連設し右取っ手片３ｊが設けられ背面側を前記接着片３ｈと接着可能な右側面片３ｃ、及び前記正面片３ａの上側に連設し折込線３ｇが付き差込片３ｆが形成された正面折込片３ｅにより構成され組み立てることでボックス状となる正面本体３と、前記正面本体３の正面片３ａの下側に連設し前記正面折込片３ａの差込片３ｆを差し込むための差込孔４ｍが形成された正面底面片４ａ、前記正面本体３の左右側面片３ｂ、３ｃの下側に連設した左右底面片４ｂ、４ｃ、及び前記正面本体３の背面片３ｄの下側に連設した背面底面片４ｄにより構成され組み立てることで底面を形成する底面本体４とからなり、前記上蓋本体２の一部を切り取ることのできる切取線２ｈを付けたことを特徴とする再利用ギフトボックス１の構成とした。
【考案の効果】
【０００６】
本考案の再利用ギフトボックスは、店頭で購入した商品の保護の役割を終えた後も、そのまま生活で使用でき、利用価値があるためにゴミになりにくいという利点を持つ。そしてダンボール素材（再生紙）は再資源にもなるため、全人類の大きな課題であるリデュース（Ｒｅｄｕｃｅ／再使用・再利用）・リユース（Ｒｅ−ｕｓｅ／再使用・再利用）・リサイクル（Ｒｅｃｙｃｌｅ／再資源）の理念にかなったものである。
【０００７】
また、少し手を加えるだけで本再利用ギフトボックスを用途に応じた形状に変えることができ、強度を増すこともできるので、利用価値をさらに高めることができる。
【考案を実施するための最良の形態】
【０００８】
本再利用ギフトボックスは、ゴミを減らすための再利用という目的により使い捨てではないギフトボックスとすることで実現した。
【実施例１】
【０００９】
以下に、添付図面に基づき、本考案である再利用ギフトボックス１について詳細に説明する。図１は、本考案である再利用ギフトボックス１の展開図である。図１に示すように、再利用ギフトボックス１は上蓋本体２と正面本体３と底面本体４とからなる。
【００１０】
上蓋本体２は、差込片２ｋ、２ｋを形成した折返片２ｃを連設した正面片２ｂと、正面片２ｂの左方に左斜面部２ｌを設け隙間のある左折込片２ｅを備えた左側面片２ｄを連設し、正面片２ｂの右方に右斜面部２ｍを有した右折込片２ｇを備えた右側面片２ｆを連設した上面片２ａとからなり、上面片２ａには切取線２ｈが施され、差込孔２ｉ、２ｉと多目的孔２ｊ、２ｊが穿設されている。
【００１１】
正面本体３は、差込片３ｆ、３ｆと折込線３ｇを有した正面折返面３ｅを連設した正面片３ａと、左取っ手片３ｉが設けられた左側面片３ｂ、右取っ手片３ｊが設けられた右側面片３ｄとからなる。
【００１２】
底面本体４は、差込孔４ｍ、４ｍを有する正面底面片４ａと、左凸部４ｆと斜面部４ｇを有する左底面片４ｂと、右凸部４ｈと斜面部４ｉを有する右底面片４ｃ及び差込片４ｊと斜面部４ｋを有する背面底面片４ｄとからなる。
【００１３】
このように図１に示した展開図の再利用ギフトボックス１を折り畳んで組み立てると、図４で示すような直方体で箱形のギフトボックスとなる。
【００１４】
図２は本考案である再利用ギフトボックス１の組立工程の斜視図、図３は再利用ギフトボックス１の組立工程の斜視図、図４は再利用ギフトボックスの上蓋を開けた状態の斜視図である。
【００１５】
図２に示すように、正面本体３を四角形の箱状になるように折り曲げ、接着片３ｈを左側面片３ｂの側面内側に接着し、正面片３ａと背面片３ｄ、左側面片３ｂと右側面片３ｃをそれぞれ向き合わせるようにして直方体を成形する。
【００１６】
図２、図３及び図４に示すように、直方体を成形した次は正面片３ａに連設された正面折返面３ｅを内側に折り込む。この時、折込線３ｇを折ることにより折返面３ｅを本体３内にスムーズに折り込むことができる。正面折返面３ｅを内側に折り込んだら正面底面片４ａに穿設された差込孔４ｍ、４ｍに差込片３ｆ、３ｆを嵌挿させる。
【００１７】
折返面３ｅは正面片３ａとぴったりと重なり合った状態となり再利用ギフトボックス１の本体３正面は最も強度の強い面となる。正面本体３を箱状にした後、本体左右側面片３ｂ、３ｃに設けられた左右取っ手片３ｉ、３ｊを内側に折り込む。
【００１８】
左右取っ手片３ｉ、３ｊには上面を残して切取線３ｍ、３ｎが施されており本体左右側面片３ｄ、３ｃから容易に切り取ることができ、上面は切り取ることができないため内側に左右取っ手片３ｉ、３ｊを折り込むと左右の手指を差し込む孔ができ、持ち運びが容易となる。
【００１９】
次に、背面片３ｄの上面に連設している上面片２ａを中心とする上蓋本体２を作る。上面片２ａの左右に連設された左側面片２ｄと右側面片２ｆはそれぞれ内側に折り曲げる。この時、左折込片２ｅは左側面片２ｄに、右折込片２ｇは右側面片２ｆに垂直になるように内側に向かって折り曲げる。
【００２０】
図３及び図４に示すように折り曲げた左折込片２ｅと右折込片２ｇを覆うように、正面片２ｂと上蓋折返片２ｃを折り、上蓋折返片２ｃに形成された差込片２ｋ、２ｋを上面片２ａに穿設された差込孔２ｉ、２ｉに嵌挿する。上蓋本体２の場合も正面片２ｂと折返片２ｃが重なっているため特に強度が強い面となっている。
【００２１】
次に底面を完成させる。図５は再利用ギフトボックスの組立工程の底面図と完成底面図である。まず始めに正面底面片４ａを、連設する正面片３ａに垂直になるよう箱の内側に折り曲げる。
【００２２】
次に左底面片４ｂと、右底面片４ｃもそれぞれ箱の内側に折り曲げ、正面底面片４ａの上に重なり合わせる。この時、左底面片４ｂと右底面片４ｃは正面底面片４ａに形成された重ね片４ｌの上に重なる形となる。
【００２３】
最後に斜面部４ｋを持つ背面底面片４ｄを内側に折り、左右底面片４ｂ、４ｃの上に重ね合わせ、背面底面片４ｄに形成されている差込片４ｊを正面底面片４ａに形成された凹部４ｅの下側に差し込んで底面本体４を完成させる。
【００２４】
図６は再利用ギフトボックスの斜視図、図７は再利用ギフトボックスの上蓋の一部を切り取った状態の斜視図、図８は再利用ギフトボックス１の上蓋を中に折り込む工程の斜視図である。
【００２５】
図６、図７で示すように上面片２ａには切取線２ｈが施されており、この切取線２ｈから切ることができる。即ち上蓋本体２は上面片２ａの一部を残して切り離すことができる。
【００２６】
図８に示すように上面片２ａを切り離すことで上蓋本体２の正面及び左右面の縁がなくなり残った上面片２ａを正面本体３内に折り込むことができる。上面片２ａを正面本体３内に折り込むことで蓋無しのギフトボックスとしても使用することができる。この場合、背面片３ｄと残った正面片２ａがぴったりと重なり合い強度が正面本体３の背面の強度を増すことができる。
【実施例２】
【００２７】
図９は再利用ギフトボックスの第２実施例の組立工程の斜視図、図１０は再利用ギフトボックスの第２実施例の斜視図である。
【００２８】
図９、図１０で示すように、再利用ギフトボックス１ａは上蓋本体２と正面本体３と底面本体４とからなる。
【００２９】
上蓋本体２は、差込片２ｎを有する折返片２ｃを上面に連設した正面片２ｂと、差込孔２ｏと多目的孔２ｊ、２ｊと切取線２ｈ及び切取差込片２ｐを有する上面片２ａと、左折込片２ｅを連設した左側面片２ｄと、右折込片２ｇを連設した右側面片２ｆからなる。
【００３０】
前述のように、再利用ギフトボックス１ａの上蓋本体２は再利用ギフトボックス１の上蓋本体２とほぼ同じ構造をしている。即ち、差込孔２ｉ、２ｉが一つの差込孔２ｏとなり差込片２ｋ、２ｋが一つの差込片２ｎとなり、切取線２ｈが直線から略台形状の切取線２ｈとなった。また、切取線２ｈより切り離した後の残りの上面片２ａには、切取差込片２ｐが形成される。
【００３１】
正面本体３は、差込片３ｏを有する正面折返面３ｅを上面に連設した正面片３ａと左側面片３ｂ、右側面片３ｃ、背面片３ｄとからなる。
【００３２】
前述のように、再利用ギフトボックス１ａの正面本体３は再利用ギフトボックス１の正面本体３とほぼ同じ構造をしている。即ち、差込片３ｆ、３ｆが一つの差込片３ｏとなった。
【００３３】
底面本体４は、差込孔４ｎを穿設し重ね片４ｌ、４ｌを設けたことでコ字状の凹部４ｅを形成した正面底面片４ａと、左底面片４ｂと、右底面片４ｃおよび背面底面片４ｄとからなる。
【００３４】
前述のように再利用ギフトボックス１ａの底面本体４は再利用ギフトボックス１の底面本体４とほぼ同じ構造をしている。即ち、差込孔４ｍ、４ｍが一つの差込孔４ｎとなり、新たに背面底面片４ｄに差込孔４ｏが穿設された。
【００３５】
上面片２ａには略台形の切取線２ｈが刻設されており、切取差込片２ｐを形成している。この切取線２ｈは手で切ることができ、上蓋本体２は上面片２ａの一部を残して切り離すことができる。
【００３６】
残った上面片２ａの一部は箱の内側に折り入れ、切取線２ｈを切ることによって設けられた切取差込片２ｐを正面底面片４ａに穿設された差込孔４ｎに嵌挿することで蓋なしの箱となり、さらに強度もアップする。
【図面の簡単な説明】
【００３７】
【図１】本考案である再利用ギフトボックスの展開図である。
【図２】本考案である再利用ギフトボックスの組立工程の斜視図である。
【図３】本考案である再利用ギフトボックスの組立工程の斜視図である。
【図４】本考案である再利用ギフトボックスの上蓋を開けた状態の斜視図である。
【図５】本考案である再利用ギフトボックスの組立工程の底面図と完成底面図である。
【図６】本考案である再利用ギフトボックスの斜視図である。
【図７】本考案である再利用ギフトボックスの上蓋の一部を切り取った状態の斜視図である。
【図８】本考案である再利用ギフトボックスの上蓋を中に折り込む工程の斜視図である。
【図９】本考案である再利用ギフトボックスの第２実施例の組立工程の斜視図である。
【図１０】本考案である再利用ギフトボックスの第２実施例の斜視図である。
【符号の説明】
【００３８】
１            再利用ギフトボックス
２            上蓋本体
２ａ          上面片
２ｂ          正面片
２ｃ          折返片
２ｄ          左側面片
２ｅ          左折込片
２ｆ          右側面片
２ｇ          右折込片
２ｈ          切取線
２ｉ          差込孔
２ｊ          多目的孔
２ｋ          差込片
２ｌ          左斜面部
２ｍ          右斜面部
２ｎ          差込片
２ｏ          差込孔
２ｐ          切取差込片
３            正面本体
３ａ          正面片
３ｂ          左側面片
３ｃ          右側面片
３ｄ          背面片
３ｅ          正面折返片
３ｆ          差込片
３ｇ          折込線
３ｈ          接着片
３ｉ          左取っ手片
３ｊ          右取っ手片
３ｋ          斜面部
３ｌ          斜面部
３ｍ          切取線
３ｎ          切取線
３ｏ          差込片
４            底面本体
４ａ          正面底面片
４ｂ          左底面片
４ｃ          右底面片
４ｄ          背面底面片
４ｅ          凹部
４ｆ          左凸部
４ｇ          斜面部
４ｈ          右凸部
４ｉ          斜面部
４ｊ          差込片
４ｋ          斜面部
４ｌ          重ね片
４ｍ          差込孔
４ｎ          差込孔
４ｏ          差込孔
【図１】
0003136352.tif 000003
【図２】
0003136352.tif 000004
【図３】
0003136352.tif 000005
【図４】
0003136352.tif 000006
【図５】
0003136352.tif 000007
【図６】
0003136352.tif 000008
【図７】
0003136352.tif 000009
【図８】
0003136352.tif 000010
【図９】
0003136352.tif 000011
【図１０】
0003136352.tif 000012